(57)【特許請求の範囲】
【請求項１】
分離された複数個のトランスを組み合わせ、２次側に高電圧あるいは高電流を発生させる回路において、各トランス（Ｔ１）（Ｔ２）の１次側に１次巻線（Ｐ１）を設け、各トランス（Ｔ１）（Ｔ２）の少なくとも一つのトランス（Ｔ１）の１次側に補助巻線（Ｆ）を設け、前記各トランス（Ｔ１）（Ｔ２）のうち一方のトランス（Ｔ１）の１次巻線（Ｐ１）の両端を第１のトランジスタ（Ｔｒ１）を含む直流電源供給ライン（２８）に直列に接続し、他方のトランス（Ｔ２）の１次巻線（Ｐ１）の両端を第２のトランジスタ（Ｔｒ２）を含む直流電源供給ライン（２８）に前記一方のトランス（Ｔ１）の１次巻線（Ｐ１）に対して逆相となるように直列に接続し、前記第１と第２のトランジスタ（Ｔｒ１）（Ｔｒ２）間をコンデンサ（Ｃ１）を介して接続し、前記補助巻線（Ｆ）の一端（１２）を前記第１のトランジスタ（Ｔｒ１）の制御端子に、他端（１０）を前記第２のトランジスタ（Ｔｒ２）の制御端子に各々接続し、前記第１のトランジスタ（Ｔｒ１）の制御端子に信号ライン（３２）を抵抗（ＲＢ２）を通じて接続し、前記第２のトランジスタ（Ｔｒ２）の制御端子に前記信号ライン（３２）を抵抗（ＲＢ１）を通じて接続し、信号ライン（３２）にトランジスタ駆動信号が供給されると前記第１と第２のトランジスタ（Ｔｒ１）（Ｔｒ２）のうち一方のトランジスタ（Ｔｒ１）が先に導通し、このトランジスタ（Ｔｒ１）の導通によって該トランジスタ（Ｔｒ１）に接続するトランス（Ｔ１）の１次巻線（Ｐ１）が励磁され、次に該トランス（Ｔ１）の１次側の補助巻線（Ｆ）が励磁されると、今まで導通していたトランジスタ（Ｔｒ１）が非導通、他方のトランジスタ（Ｔｒ２）が導通し、この他方のトランジスタ（ＴＲ２）の導通によって、該トランジスタ（Ｔｒ２）に接続するトランス（Ｔ２）の１次巻線（Ｐ１）が励磁するとともに非導通となったトランジスタ（Ｔｒ１）に接続するトランス（Ｔ１）の１次巻線（Ｐ１）に残エネルギーで電流が逆方向に流れ、一方のトランス（Ｔ１）の１次巻線（Ｐ１）の電圧と他方のトランス（Ｔ２）の１次巻線（Ｐ１）の電圧とが同極性となり、この動作を繰り返すようにしたことを特徴とする高出力発生回路。
【発明の詳細な説明】
【０００１】
【発明の属する技術分野】
本発明は分離された複数個のトランスを組合せ、２次側に高電圧あるいは高電流を得るようにしたインバータ、コンバータ、スイッチング電源等に用いられる高出力発生回路にする。
【０００２】
【従来の技術】
図３に示すように、トランスＴ１，Ｔ２を２個駆動して高電圧を得るための回路がロイヤーの回路として従来から良く利用されている。
【０００３】
【発明が解決しようとする課題】
従来の回路で問題となっているのは、トランスＴ１，Ｔ２のＰ１巻線とＰ２巻線の中点タップが必要であることであり、これにより、トランスＴ１，Ｔ２の巻線Ｐ１，Ｐ２はバイファイラ巻（ＢＦ）を使用し、Ｐ１とＰ２巻線をきれいに２本並べて巻く必要がある。そのため、手作業で巻いたり、ワイヤの色を各々Ｐ１，Ｐ２別々にする必要が出てくる。また、回路接続用のプリント基板等の配線も、トランスＴ１，Ｔ２接続のために本数が多く、かなりスペースが取られてしまう。また、コストを下げるのに不利な方向に働く。
本発明は巻線の中点タップをなくして上記問題点を解決することを目的とするものである。
【０００４】
【課題を解決するための手段】
上記目的を達成するため、本発明は、 分離された複数個のトランスを組み合わせ、２次側に高電圧あるいは高電流を発生させる回路において、各トランス（Ｔ１）（Ｔ２）の１次側に１次巻線（Ｐ１）を設け、各トランス（Ｔ１）（Ｔ２）の少なくとも一つのトランス（Ｔ１）の１次側に補助巻線（Ｆ）を設け、前記各トランス（Ｔ１）（Ｔ２）のうち一方のトランス（Ｔ１）の１次巻線（Ｐ１）の両端を第１のトランジスタ（Ｔｒ１）を含む直流電源供給ライン（２８）に直列に接続し、他方のトランス（Ｔ２）の１次巻線（Ｐ１）の両端を第２のトランジスタ（Ｔｒ２）を含む直流電源供給ライン（２８）に前記一方のトランス（Ｔ１）の１次巻線（Ｐ１）に対して逆相となるように直列に接続し、前記第１と第２のトランジスタ（Ｔｒ１）（Ｔｒ２）間をコンデンサ（Ｃ１）を介して接続し、前記補助巻線（Ｆ）の一端（１２）を前記第１のトランジスタ（Ｔｒ１）の制御端子に、他端（１０）を前記第２のトランジスタ（Ｔｒ２）の制御端子に各々接続し、前記第１のトランジスタ（Ｔｒ１）の制御端子に信号ライン（３２）を抵抗（ＲＢ２）を通じて接続し、前記第２のトランジスタ（Ｔｒ２）の制御端子に前記信号ライン（３２）を抵抗（ＲＢ１）を通じて接続し、信号ライン（３２）にトランジスタ駆動信号が供給されると前記第１と第２のトランジスタ（Ｔｒ１）（Ｔｒ２）のうち一方のトランジスタ（Ｔｒ１）が先に導通し、このトランジスタ（Ｔｒ１）の導通によって該トランジスタ（Ｔｒ１）に接続するトランス（Ｔ１）の１次巻線（Ｐ１）が励磁され、次に該トランス（Ｔ１）の１次側の補助巻線（Ｆ）が励磁されると、今まで導通していたトランジスタ（Ｔｒ１）が非導通、他方のトランジスタ（Ｔｒ２）が導通し、この他方のトランジスタ（ＴＲ２）の導通によって、該トランジスタ（Ｔｒ２）に接続するトランス（Ｔ２）の１次巻線（Ｐ１）が励磁するとともに非導通となったトランジスタ（Ｔｒ１）に接続するトランス（Ｔ１）の１次巻線（Ｐ１）に残エネルギーで電流が逆方向に流れ、一方のトランス（Ｔ１）の１次巻線（Ｐ１）の電圧と他方のトランス（Ｔ２）の１次巻線（Ｐ１）の電圧とが同極性となり、この動作を繰り返すようにしたものである。
【０００５】
【発明の実施の形態】
以下に本発明の実施の形態を、添付した図面を参照して詳細に説明する。
Ｔ１とＴ２は分離された２個のトランスであり、本実施形態では２個用意されているが、特に２個に限定されるものではない。Ｐ１は、トランスＴ１、Ｔ２の１次巻線、Ｆは補助巻線である。トランスＴ１、Ｔ２の各１次巻線Ｐ１の両端は端子２，４及び６，８に接続し、補助巻線Ｆの両端はそれぞれ端子１０，１２及び１４，１６に接続している。
【０００６】
ＳはトランスＴ１、Ｔ２の２次巻線であり、それぞれ両端が端子１８，２０及び２２，２４に接続している。２次側の端子２０，２４は接地され、端子１８は、コンデンサＣ２を介して負荷２６である冷陰極管ＬＰの一方の電極に接続し、端子２２は、コンデンサＣ３を介して冷陰極管ＬＰの他方の電極に接続している。２次側の端子２６は、トランスＴ１、Ｔ２の２次巻線Ｓに直列に接続しているが、２次側の接続は直列、並列、独立その他種々自由に設定できる。
２８はプラスの直流電源ラインであり、３０はマイナス側の直流電源ラインである。一方の電源ライン２８は、チョークコイルＬ１を介して、トランスＴ１、Ｔ２の１次側の端子４，６にそれぞれ接続している。他方の電源ライン３０は接地されている。
【０００７】
３２は信号ラインであり、抵抗ＲＢ２を介してトランジスタＴｒ１のベース（制御端子）に接続している。また信号ライン３２は、抵抗ＲＢ１を介してトランジスタＴｒ２のベース（制御端子）に接続している。ＮＰＮ形トランジスタＴｒ１，Ｔｒ２の各々のエミッタは接地されている。トランジスタＴｒ１のコレクタはトランスＴ１の１次側の端子２に接続し、トランジスタＴｒ２のコレクタはトランスＴ２の１次側の端子８に接続されるとともに、トランジスタＴｒ２のコレクタは、コンデンサＣ１を介してトランスＴ１の１次側の端子２とトランジスタＴｒ１のコレクタに接続している。
【０００８】
トランスＴ１の１次側の補助巻線Ｆの一方の端子１０はトランジスタＴｒ２のベースに接続し、他方の端子１２はトランジスタＴｒ１のベースに接続している。  次に本実施形態の作用について説明する。
電源ライン２８，３０に電源が入り、最初のプラスの信号が、信号ライン３２に入力されると、トランジスタＴｒ１，Ｔｒ２のうち、いづれかのトランジスタがＯＮとなる。どちらのトランジスタが最初にＯＮとなるかは本回路では不定である。仮りにトランジスタＴｒ１がＯＮしたとする。
【０００９】
これにより、トランスＴ１の１次巻線Ｐ１に電流が流れる。このとき、トランスＴ２は休んでいる。このときの電流の流れは、電源ライン２８，トランスＴ１の１次巻線Ｐ１、トランジスタＴｒ１、電源ライン３０の順である。次に、トランスＴ１の補助巻線Ｆに電圧が発生すると、トランジスタＴｒ２のベースにトランスの補助巻線Ｆのプラスの電圧が供給され、トランジスタＴｒ２はＯＮとなり、トランジスタＴｒ１のベースにはマイナス側の電圧が供給されトランジスタＴｒ１はＯＦＦとなる。これにより、トランスＴ２の１次巻線Ｐ１に電流が流れる。このときトランスＴ１の１次巻線Ｐ１は、残エネルギーで極性が反転し、１次巻線Ｐ１に発生した電圧の実効値Ｖ１に１次巻線Ｐ１の巻数ｎ１を乗じた電圧がトランスＴ１の２次巻線Ｓに生じ、２次巻線Ｓに反転した電圧が生じる。
【００１０】
このトランスＴ１の電圧とトランスＴ２の電圧は同極性となって生じ、よって、トランスＴ１，Ｔ２が直列接続の場合、電圧が倍となる。トランスＴ１の１次巻線Ｐ１とトランスＴ２の１次巻線Ｐ１の間即ちトランジスタＴｒ１とＴｒ２のコレクタ間に接続されているコンデンサＣ１にも倍の電圧が生じている事になる。以下同様に繰り返される。以上を動作を順を追って更に詳述すると
（１）最初、端子２，４の極性は、                    −，＋
（２）次にトランジスタＴｒ１オフによって反転し、    ＋，−
（３）次にトランジスタＴｒ１オンによって、          −，＋
以下同様に変化する。
これと並行して、
（１）最初、端子６，８の極性はなし（トランスＴ２休止）
（２）次にトランジスタＴｒ２オンによって、          ＋，−
（３）次にトランジスタＴｒ２オフによって反転し、    −，＋
以下同様に変化する。
【００１１】
図２は、２個のトランスＴ１，Ｔ２の２次側を並列に接続する実施形態を示している。これにより、トランスＴ１，Ｔ２の２次側に低電圧、高電流が得られる。この場合、電圧差はコンデンサＣ２，Ｃ３でバランスされる。尚、図１，２において、トランスＴ２の補助巻線Ｆは必要としないのでなくとも良い。
【００１２】
また、信号ライン３２はプラス電源ライン２８に接続しても良い。また、この信号ライン３２にパルス幅変調回路から数百ヘルツのパルス信号を供給し、このパルス信号でトランジスタＴｒ１，Ｔｒ２をオンオフ制御すれば、パルス幅に応じて負荷に供給される電力の制御を行うことが可能である。
【００１３】
【発明の効果】
本発明は上述の如く構成したので、分離された複数個のトランスを組み合わせた高出力発生回路で、トランスの１次巻線の中点タップをなくすことができる。これにより、バイファイラ巻でなくシングル巻が可能となり機械化が可能となる。また、トランスのピン数が１ピン減少することになり、そのピンを他に利用することもでき、トータルでコストダウンが可能となる。またプリント基板等への配線もシンプルになり信頼性も向上する等の効果が存する。
【図面の簡単な説明】
【図１】本発明の実施形態を示す回路図である。
【図２】本発明の他の実施形態を示す回路図である。
【図３】従来技術を示す回路図である。
【符号の説明】
２      端子
４      端子
６      端子
８      端子
１０    端子
１２    端子
１４    端子
１６    端子
１８    端子
２０    端子
２２    端子
２４    端子
２６    負荷
２８    電源ライン
３０    電源ライン
Ｌ１    チョークコイル
Ｐ１    １次巻線
Ｆ      補助巻線
Ｃ１    コンデンサ
Ｃ２    コンデンサ
Ｃ３    コンデンサ
ＲＢ１  抵抗
ＲＢ２  抵抗
Ｔｒ１  トランジスタ
ＴＲ２  トランジスタ
【図１】
0003656223.tif 000002
【図２】
0003656223.tif 000003
【図３】
0003656223.tif 000004